(57)【要約】【課題】  特にボーカル用として好適なハンドヘルド型のダイナミックマイクロホンにおいて、マイク側で任意に音量調整を可能にするとともに、指などが不用意にボリュームスイッチに触れないようにする。【解決手段】  円筒状に形成されたグリップ筐体２０と、グリップ筐体の先端部側に設けられた動電型のマイクユニットとを含み、マイクユニットから出力される音声信号を外部機器に与えるマイクコード１６がグリップ筐体２０の後端部２０Ｅから引き出されているダイナミックマイクロホンにおいて、グリップ筐体２０の後端部２０Ｅに、マイクコード１６が挿通されるコードブッシュ部３０が嵌合されており、コードブッシュ部３０にマイク音量を調整する可変抵抗器を含むボリュームスイッチ１５を設ける。【選択図】  図２
2005057559.tif 000002
【特許請求の範囲】
【請求項１】
円筒状に形成されたグリップ筐体と、上記グリップ筐体の先端部側に設けられた動電型のマイクユニットとを含み、上記マイクユニットから出力される音声信号を外部機器に与えるマイクコードが上記グリップ筐体の後端部から引き出されているダイナミックマイクロホンにおいて、
上記グリップ筐体の後端部に上記マイクコードが挿通されるコードブッシュ部が嵌合されており、上記コードブッシュ部にマイク音量を調整する可変抵抗器を含むボリュームスイッチが取り付けられていることを特徴とするダイナミックマイクロホン。
【請求項２】
上記ボリュームスイッチは、上記コードブッシュ部内に固定される回路基板と、上記回路基板上に回転可能に装着された円板状の回転ノブとを備え、上記回転ノブの一部分が上記コードブッシュ部から突出している請求項１に記載のダイナミックマイクロホン。
【請求項３】
上記コードブッシュ部には、上記マイクコードの挿通孔と平行に上記回路基板を上記回転ノブとともに収納する基板収納部が設けられており、上記基板収納部には、上記回路基板の上下両面に所定の空間を確保するため、上記回路基板の両側辺をスライド可能に受け入れる案内溝が形成されている請求項２に記載のダイナミックマイクロホン。
【発明の詳細な説明】
【技術分野】
【０００１】
本発明は、ダイナミックマイクロホンに関し、さらに詳しく言えば、マイク側に音量調整ができるボリュームスイッチを備えた特にボーカル用として好適なハンドヘルド型のダイナミックマイクロホンに関するものである。
【背景技術】
【０００２】
静電型，動電型などの型式を問わず、マイクロホンにトークスイッチ（音声信号を単にオンオフするスイッチ）を設けることは一般的に行われているが、音量調整用のボリュームスイッチを備えたマイクロホンは意外と少ない。先行技術文献としては下記の特許文献１が挙げられる程度で、しかもこのマイクロホンは着衣に付けて使用されるペンシル型の特殊な部類に属するマイクロホンである。
【０００３】
カラオケなどで用いられているボーカル用マイクロホンは、そのほとんどがハンドヘルド型のダイナミックマイクロホンであり、上記したようにトークスイッチは設けられているが手元にボリュームスイッチがないため、音量調整するにはわざわざマイクアンプやミキシングアンプのところまで行かなくてはならないという煩わしさがある。
【０００４】
なお、最近では家庭用ゲーム機にカラオケ機能を持たせることも提案されているが、家庭用ゲーム機の場合には、そのゲーム機自体にもボリュームスイッチが設けられていないことが多く、このような場合には音量調整そのものができないことになる。
【０００５】
また、特許文献１によるマイクロホンにしても、その一つの態様として、アンプ回路を内蔵し、そのアンプの前段にボリュームスイッチを入れるようにしている。そのため、アンプを駆動する電源（電池）が必要となるので価格的な面で好ましくない。また、その分重量が増えることにもなる。
【０００６】
また、特許文献１によるマイクロホンにおいては、トークスイッチとボリュームスイッチとを一つのスイッチで兼用している。通常、トークスイッチは操作しやすい箇所に配置されるため、この技術をハンドヘルド型のダイナミックマイクロホンに適用すると、例えば歌唱している最中に指などが不用意にボリュームスイッチに触れてマイク音量が変わってしまうことがある。
【特許文献１】実開平５−３１４８８号公報
【発明の開示】
【発明が解決しようとする課題】
【０００７】
したがって、本発明の課題は、特にボーカル用として好適なハンドヘルド型のダイナミックマイクロホンにおいて、マイク側で任意に音量調整を可能にするとともに、指などが不用意にボリュームスイッチに触れないようにすることにある。
【課題を解決するための手段】
【０００８】
上記課題を解決するため、円筒状に形成されたグリップ筐体と、上記グリップ筐体の先端部側に設けられた動電型のマイクユニットとを含み、上記マイクユニットから出力される音声信号を外部機器に与えるマイクコードが上記グリップ筐体の後端部から引き出されているダイナミックマイクロホンにおいて、上記グリップ筐体の後端部に上記マイクコードが挿通されるコードブッシュ部が嵌合されており、上記コードブッシュ部にマイク音量を調整する可変抵抗器を含むボリュームスイッチが取り付けられていることを特徴としている。
【０００９】
本発明には好ましい態様として、上記ボリュームスイッチが上記コードブッシュ部内に固定される回路基板と、上記回路基板上に回転可能に装着された円板状の回転ノブとを備え、上記回転ノブの一部分が上記コードブッシュ部から突出している態様が含まれる。
【００１０】
また、本発明には、上記コードブッシュ部には上記マイクコードの挿通孔と平行に上記回路基板を上記回転ノブとともに収納する基板収納部が設けられ、上記基板収納部には上記回路基板の上下両面に所定の空間を確保するため、上記回路基板の両側辺をスライド可能に受け入れる案内溝が形成されている態様が含まれる。
【発明の効果】
【００１１】
本発明によれば、マイク側にボリュームスイッチが設けられているため、居ながらにしてマイク音量を任意に調整できる。したがって、特にデュエット用マイクロホンとして好適である。しかも、ボリュームスイッチがグリップ筐体の後端部に配置されているため、不用意に操作されることもない。
【発明を実施するための最良の形態】
【００１２】
次に、図面を参照して、本発明の実施形態について説明するが、本発明はこれに限定されるものではない。図１は本発明に係るダイナミックマイクロホンの概略的な回路図で、図２は同ダイナミックマイクロホンの要部を示す外観図である。
【００１３】
このダイナミックマイクロホン１０は動電型のマイクユニット１１を備え、マイクユニット１１にはトークスイッチ１２を介して音声出力回路１３が接続されている。ハンドヘルド型マイクロホンの場合、動電型のマイクユニット１１にはムービングコイル型のものが用いられる。
【００１４】
音声出力回路１３には、高周波ノイズを除去するためのコンデンサ１４と、可変抵抗ＶＲからなるボリュームスイッチ１５とが含まれている。この例において、マイクユニット１１の出力インピーダンスは６００Ωであり、これとマッチングをとるため可変抵抗ＶＲのライン抵抗を５００Ωとし、これに１００Ωの固定抵抗Ｒ１を直列に入れている。音声出力回路１３には、単頭プラグ１７を有するマイクコード１６が接続されている。
【００１５】
図２に示すように、このダイナミックマイクロホン１０は円筒状のグリップ筐体２０を備えている。図２はグリップ筐体２０の後端部２０Ｅ側を示しており、グリップ筐体２０の図示しない先端部側には例えば金網製のウインドスクリーンが設けられており、その内部にマイクユニット１１が配置されている。
【００１６】
グリップ筐体２０には、トークスイッチ１２とボリュームスイッチ１５とが設けられるが、トークスイッチ１２はちょうど親指で触れやすい部分に配置されている。これに対して、ボリュームスイッチ１５はグリップ筐体２０の後端部２０Ｅ側に配置されている。
【００１７】
グリップ筐体２０の後端部２０Ｅには、マイクコード１６を引き出すためのコードブッシュ部３０がはめ込まれており、ボリュームスイッチ１５はコードブッシュ部３０内に組み込まれている。このコードブッシュ部３０の構成を図３ないし図７に示す。図３は平面図，図４は図３のＡ−Ａ線断面図，図５は左側面図，図６は右側面図，図７は図６のＢ−Ｂ線断面図である。
【００１８】
また、図８はボリュームスイッチ１５の組立体を示す側面図で、ボリュームスイッチ１５は回路基板１５１と、回路基板１５１上に回転可能に装着された円板状の回転ノブ１５２とを含み、図示しないが回路基板１５１側に可変抵抗ＶＲのライン抵抗が形成され、回転ノブ１５２側にそのライン抵抗上を摺動する可動接点が設けられている。
【００１９】
コードブッシュ部３０は、グリップ筐体２０の後端部２０Ｅ内に嵌合するゴム製の円筒体よりなり、マイクコード１６の挿通孔３１と、ボリュームスイッチ１５の回路基板１５１を収納する基板収納部３２とを備えている。挿通孔３１と基板収納部３２は互いに平行としてコードブッシュ部３０内を貫通している。なお、図１において、コードブッシュ部３０左端面側がグリップ筐体２０の内側に位置される内端面３０ａで、右端面側が外側に露出する外端面３０ｂである。
【００２０】
基板収納部３２は、回路基板１５１の回転ノブ１５２を含む高さ寸法よりも実質的に大きな高さ幅を有し、基板収納部３２内には、回路基板１５１を高さ方向のほぼ中央に位置させてその上下両面に所定の空間を確保するため、回路基板１５１の両側辺をスライド可能に受け入れる案内溝３２１，３２１が形成されている（図４，図７参照）。
【００２１】
この例において、回路基板１５１は回転ノブ１５２を上にした状態でコードブッシュ部３０の内端面３０ａ側から基板収納部３２内に収納される。そのため、コードブッシュ部３０の外端面３０ｂには回転ノブ１５２の一部分を突出させるための開口部３２２が基板収納部３２内の上部空間（案内溝３２１，３２１よりも上の空間）と連通するように形成されている。また、コードブッシュ部３０には、回路基板１５１を固定するためのネジ止め孔３２３が、半径方向に沿って基板収納部３２内に至るように形成されている。
【００２２】
組立手順の一例として、マイクコード１６を挿通孔３１内に通し、また、回路基板１５１を基板収納部３２内に収納してネジ止めする。そして、マイクコード１６および回路基板１５１を音声出力回路１３に接続したのち、コードブッシュ部３０をグリップ筐体２０の後端部２０Ｅ内にはめ込む。なお、コードブッシュ部３０をモールド成型する際、その金型のキャビティー内にマイクコード１６をセットして、マイクコード１６をインサート成型することもできる。
【００２３】
アンプ類（図示しない）がダイナミックマイク用のマイクアンプもしくはミキシングアンプであれば、マイクコード１６に設けられている単頭プラグ１７をそのまま接続して使用することができる。その際、ボリュームスイッチ１５を操作することにより、個人の声量に合わせて簡単に音量調整ができるため、特にカラオケなどのデュエット用マイクロホンとして好適である。また、ボリュームスイッチ１５がグリップ筐体２０の後端部２０Ｅに設けられているため、不用意にボリュームスイッチ１５が動かされるおそれもない。
【図面の簡単な説明】
【００２４】
【図１】本発明によるダイナミックマイクロホンの概略的な回路図。
【図２】上記ダイナミックマイクロホンの要部を示す外観図。
【図３】上記ダイナミックマイクロホンが備えるコードブッシュ部を示す平面図。
【図４】図３のＡ−Ａ線断面図。
【図５】上記コードブッシュ部の左側面図。
【図６】上記コードブッシュ部の右側面図。
【図７】図６のＢ−Ｂ線断面図。
【図８】上記ダイナミックマイクロホンが備えるボリュームスイッチの組立体を示す側面図。
【符号の説明】
【００２５】
１０  ダイナミックマイクロホン
１１  マイクユニット
１２  トークスイッチ
１３  音声出力回路
１５  ボリュームスイッチ
１５１  回路基板
１５２  回転ノブ
１６  マイクコード
２０  グリップ筐体
２０Ｅ  後端部
３０  コードブッシュ部
３１  挿通孔
３２  基板収納部
３２１  案内溝
３２２  開口部
３２３  ネジ止め孔
【図１】
2005057559.tif 000003
【図２】
2005057559.tif 000004
【図３】
2005057559.tif 000005
【図４】
2005057559.tif 000006
【図５】
2005057559.tif 000007
【図６】
2005057559.tif 000008
【図７】
2005057559.tif 000009
【図８】
2005057559.tif 000010